(57)【要約】      （修正有）【課題】弁当や飲料水等の運搬に適し、行楽やイベントに活用できる、ランチョンマットを兼ねるバッグを提供する。【解決手段】角柱形バックの側面Ａ，Ｂ，Ｃ，Ｄ同士、或は、該側面と上面Ｆ、該側面と底面Ｅが接する稜線の複数個所に、スライド・フアスナーを装着し、開閉を自在とし、スライド・フアスナーを閉じて角柱型バッグを成し、収容物を入れ、運搬を果たし、搬入後、スライド・フアスナーを開いて、マット状に変わり、即刻、会合の場を、作る事が出来る構成とする。【選択図】図３
0003187811.tif 000002
【実用新案登録請求の範囲】
【請求項１】
角柱形バックにあって、天面、側面、底面間で接する稜線の複数個所に、スライド・フアスナーを装着し、開閉を自在とし、閉じて角柱型バッグとなり、開いて平らなランチョン‐マットになる事を特徴とするバック。
【請求項２】
角柱形バックの展開面で、Ａ，Ｂ，Ｃ，Ｄ側面間に在る角地空間の其々に、シート（Ｓ）を宛がい、天面、側面、底面間で接する稜線の複数個所に、スライド・フアスナーを装着し、開閉を自在とし、スライド・フアスナーが閉じれば、シートはバッグ内に取り込まれ、角柱形バックとなり、スライド・フアスナーが開けばシートは外部に放たれ、ランチョン‐マットになる事を特徴とするバック。
【考案の詳細な説明】
【考案の詳細な説明】
【技術分野】
【０００１】    本考案は弁当や飲料水等の運搬に適し、行楽やイベントに活用出来るバッグに関する。
【背景技術】
【０００２】  従来、個人用で昼食等の弁当や飲料運びに使用されていた搬送用バッグは、収容容器に合せた形状品が主流で、保温を兼ね備えたバッグ等が知られている。また、収容する容器を特定せず、任意の形状品を複数入れて運べる、保温性を備えたバッグ等もある。いずれも、収容した内容物を保管し、初期状態の維持を図りながら、運搬を果たし、目的地へ搬入が役目となっている。
【先行技術文献】
【特許文献】
【０００３】
【特許文献１】特開２０１０−２５９５６９
【特許文献２】実登３１８４６０６
【考案の概要】
【考案が解決しようとする課題】
【０００４】  従来のバッグ等では、搬入した収容物を拡げ、並べる、シートやテーブル等を別途に用意する必要があった。特に、野外で営む場合は必携品であった。【０００５】  又、搬入した収容物は、事前に、用意したシートやテーブル等の上に運び、配列しなければならなかった。これ等、一連の作業には、時間と労力が伴う。【０００６】  運搬に携わったバッグ類は、収容物が取出され後、役目を終え、脇に放置され、障害物と化し、不必要な配慮と空間占拠をもたらしていた。【０００７】  本考案はこれ等の作業の簡素化を図り、且、搬入を果たした後も、バッグに新たな役目を課し、環境の整備に寄与した。
【課題を解決する手段】
【０００８】  角柱形バックの側面同士、或は、側面と上面、側面と底面が接する稜線の複数個所に、スライド・フアスナーを装着し、開閉を自在とし、スライド・フアスナーを閉じて図４に示す角柱型バッグを成し、収容物を入れ、運搬を果たし、搬入後、スライド・フアスナーを開いて図２、或は図３に示すマット状に変わり、即時、会合の場を作る事が出来るバッグを提供する。
【０００９】  搬入された、収容物は開始直前まで、環境の調えられたバッグ内に保存され、食の安全を保つ。
【００１０】  事前に、シートやテーブル等を用意する必要もなく、配膳の労もなく、容易に、直ちに、会の進行を果たす。
【００１１】  本考案は、これ等、煩雑な作業の簡素化を図り、且、バッグはマットとして新たな役目を果たし、バッグの放置による不祥事や散失もなく、環境整備も自ずと果せ、安心の輪を拡げる。
【考案を実施するための形態】
【００１２】  本考案は角柱形バックで説明している。角柱形バッグは製法上で容易性が有り、又、収容量、運搬効率も高く、コスト上から優位であり、更に、開いてマットとしたときの、利用面積効率でも優れており、形状の基準ではあるが、三角錐や三角柱、更には、多角錐や多角形も本考案の方式が採用可能なことは明白である。
【００１３】  バッグ基材は、特に限定するものではないが、物の運搬に適した耐久性や、或は軽量性が求められる。又、運搬する物が食品であれば、熱や気体の遮断性の良い物が求められる。
【００１４】  基材に適用可能な物として、例えば、麻や、綿の単一繊維品から、混紡や合成繊維類等、或は、表地と裏地、更には中間層を挿む等して、其々の持つ機能を活用した、多重な基材等、所望の素材を用いる事が出来る。
【００１５】  バッグ基材が硬質な材料の場合、マットの敷地面積上から取り入れた、Ａ，Ｂ，Ｃ，Ｄ側面間に在る、角地空間４個所へのシート素材は、フアスナー閉じる時に、バッグ内に取り込まれる仕組み上、柔軟性を必要とする。バッグ基材とは別に、折り畳め可能な素材を、別に選定して使用する。
【００１６】  徒手で運搬する際、提手（Ｒ）が必要となる。考案バッグは、他方で、マットとして活用するので、展開する際、提手が支障とならない様に、取り付ける提手は同一面上でループを結ぶようにする。
【００１７】  一方、強度補助対策として、同一面上でループを結ぶ提手紐を延長し、底面を通し、対面の提手紐に結わえる方式も、展開する際、提手条件は変わらないから、支障とならない。
【実施法１】
【００１８】  基材に、図２に示す角柱型バッグの展開図を型取りし、側面Ａの左辺と側面Ｂの右辺の隣接する辺に、スライド・フアスナーの下止め金具を底面側にして、テープ部の両辺を取り付ける。同様にして、側面Ｂの左辺と側面Ｃの右辺に、又、側面Ｃの左辺と側面Ｄの右辺に、又、側面Ｄの左辺と側面Ａの右辺に、其々取り付ける。
【００１９】  更には、側面Ｂの上辺と天面Ｆの左辺に、下止め金具が取り外せるオープン式スライド・フアスナーのテープ部の両辺を取り付ける。同様に、側面Ｄの上辺と天面Ｆの右辺に、又、側面Ａの上辺と天面Ｆの前辺に、其々にオープン式スライド・フアスナーを取り付ける。
【００２０】  図２の展開面で，既に接続状態にある面間の稜線、すなわち、底面Ｅの前，後，左，右辺に繋がる、Ａ，Ｂ，Ｃ，Ｄ側面の下辺と、及び、側面Ｃの上辺に繋がる天面の後辺は、稜線を軸に９０度以上の開きが出来れば、マットとバックへの移行に支障がないので、逢着等の手段で役目を全う出来る。よって、スライド・フアスナーの取り付けは省ける。底，側，天面間で出来る稜線の総数は１２個所であるが、ファスナーの使用個所は７個所になる。
【００２１】  各スライド・フアスナーを閉じて、ボックスを形成し、開いて一枚のマットに変える事ができる。
【実施法２】
【００２２】  展開図で既に接続状態にある、側面Ｃの上辺と繋がる天面Ｆの後方辺は、逢着等で接続が出来ており、連続した面として扱える。
【００２３】  側面ＢとＣに沿って立ち上がったフアスナーは、Ｂ・Ｃ両辺接続頂点に達した後、フアスナーのテープ部の一方は側面Ｃ上辺に繋がる天面Ｆの左辺に、移り、進行し、左辺の端まで延びる。
【００２４】  テープ部の他方は、側面Ｂ・Ｃの頂点に達した後、直角に反転し、側面Ｂの上辺に回り、上辺を進み、端迄延びる。
【００２５】  実施法１で、側面Ｂ・Ｃ間を繋いだファスナーと側面Ｂの上辺と天面Ｆの左辺を繋いだファスナー、２本が、本実施法で１本に簡略出来た。
【００２６】  同様にして、側面Ｃ・Ｄに沿って立ち上がったフアスナーは、Ｃ・Ｄ両辺接続頂点に達した後、フアスナーのテープ部の一方は側面Ｃの上辺に繋がる天面Ｆの右辺に、移り、進行させ、右辺の端まで延びる。
【００２７】  テープ部の他方は、側面Ｃ・Ｄの頂点に達した後、直角に反転し、側面Ｄの上辺に回り、上辺を進み、端迄延びる。
【００２８】実施法１で側面Ｃ・Ｄ間を繋いだファスナーと側面Ｄの上辺と天面Ｆの右辺を繋いだファスナー、２本が、本実施法で１本に簡略出来た。
【００２９】  残された、側面Ａの上辺と天面Ｆの前辺には、下止め金具が取り外せるオープン式スライド・フアスナーのテープ部を両辺に取り付ける。
【００３０】  ファスナーの使用個所は５個所になる。
【００３１】  各スライド・フアスナーを閉じて、ボックスを形成し、開いて一枚のマットに変える事ができる。
【実施法３】
【００３２】  バッグ基材に角柱形バッグの展開図（図２）を記すと、側面、ＡとＢ、ＢとＣ、ＣとＤ、ＤとＡ、間に存在する四隅の２等辺角地の基材部分を、切り取らず、残し、方形に天面を付けた形の基材（図３）に裁断する。
【００３３】  図３に示した基材に、実施法１、２で記した方法で、スライド・フアスナーを取り付ける。
【００３４】  スライド・フアスナーの取り付けは、隣り合う側面の稜線部分の布を、フアスナー巾程度、寄せ、堤状に立て、その外面上に、フアスナーのテープ部を合わせ、両辺に沿って縫製等で装着する。
【００３５】  スライド・フアスナーが閉じれば、角地の素地はバッグ内部に取り込まれ、バックを形成し、スライド・フアスナーが開けば外部に開放され、マットとなる。
【実施法４】
【００３６】  バッグ基材が硬質な場合、Ａ，Ｂ，Ｃ，Ｄ側面間に在る角地４ヶ所のシート素材は、折畳みが不可となり、フアスナーが閉じる際に、バッグ内に取り込めなくなる。よって、バッグ基材とは別に、折り畳み可能なシート（Ｓ）を、別に宛がう。
【００３７】  フアスナーの取り付けは、宛がったシートの端を、フアスナーのテープ幅強、折り返して、裏の面を、基材の裏面と合わせ、シート表面にフアスナーのテープ部を合わせ、両辺に沿って装着する。
【００３８】  スライド・フアスナーが閉じれば、角地のシートはバッグ内部に取り込まれ、バックを形成し、スライド・フアスナーが開けば外部に開放され、マットとなる。
【００３９】スライド・フアスナーが閉じれば、角地の素地はバッグ内部に取り込まれ、角柱形バックを形成する、スライド・フアスナーが開けば外部に開放され、マットとなる。
【考案の効果】
【００４０】  搬送バッグを組上げているフアスナーを全開すれば、バッグは即座にランチョン‐マットに早変わりし、別途にシーツやテーブルの用意が省け、手間や荷物の負荷が少なくてすむ。又、バッグで搬入した、収納物は即時に、手渡し出来、時間短縮化や労力の縮小化に加え、収容物の安全性を増す。
従来は、搬入後のバッグは片隅に放置され、乱雑さを増していたが、バッグがマットとして再活用される事で、整理された安全な環境をもたらし、リラックスして過ごせる場を提供する事が出来た。
従前は、花見や運動会等のイベント弁当や飲料水の運びには個人用が主で、家族全員とかグループでの花見や運動会などのイベント用に、ランチ搬送を受ける適切な物がなく、手直なビニール袋を代用することが多かった。需要者に安心、安全を提供出来る。その他、本品は、大きさにより災害時の避難袋になり、スマートに玄関先に据える事が可能で、ここでも安心、安全を提供出来る。
【図面の簡単な説明】
【００４１】
【図１】  角柱型バッグの斜視図
【図２】  角柱型バッグの展開図
【図３】  本考案バッグの展開図
【図４】  本考案バッグの斜視図
【符号の説明】
【００４２】Ａ・・・・（正）側面
Ｂ・・・・（左）側面
Ｃ・・・・（背）側面
Ｄ・・・・（右）側面
Ｅ・・・・・・・底面
Ｆ・・・・・・・天面
Ｒ・・・・・・・提手
Ｓ・・・・・・シート
【図１】
0003187811.tif 000003
【図３】
0003187811.tif 000004
【図４】
0003187811.tif 000005
【図２】
0003187811.tif 000006